(57)【要約】【課題】給湯装置において、高速湯張りモードが設定された場合、残水センサでは検出できない残水が浴槽に存在する可能性があるときにのみ、高速湯張りモードの設定直後に警告をして、高速湯張りモードでの浴槽水の溢流の可能性を低減し、高速湯張りモードの利便性を高める。【解決手段】給湯装置の制御装置は、残水センサが残水未検出状態にあるか否かを判定する残水判定手段と、残水判定手段の残水判定結果を記憶する記憶部とを備える。設定部材により高速湯張りモードが設定された場合、記憶部に記憶された残水判定結果が残水未検出状態であるとき、残水が有ると浴槽水が浴槽から溢れる場合があることの警告のアナウンスをした後に高速湯張りモードが実行され、記憶部に記憶された残水判定結果が残水未検出状態でない（すなわち、残水検出である）とき、報知装置に警告のアナウンスを行わせることなく通常湯張りモードが実行される。【選択図】図４
2011069564.tif 000002
【特許請求の範囲】
【請求項１】
浴槽に湯を供給する給湯ユニットと、前記浴槽内の浴槽水の水位を検出する水位センサと、通常湯張りモードおよび高速湯張りモードをそれぞれ設定可能な設定部材と、前記設定部材を操作する操作者に報知を行う報知装置と、前記給湯ユニットおよび前記報知装置を制御する制御装置とを備える給湯装置において、
前記水位センサにより検出された水位が基準水位未満のときに前記給湯ユニットの湯路の洗浄を行う洗浄モードが、前記設定部材により設定可能であり、
前記制御装置は、前記洗浄モードに基づく前記湯路の洗浄が実行済みか否かを判定する洗浄実行判定手段と、前記洗浄実行判定手段の洗浄判定結果を記憶する記憶部とを備え、
前記設定部材により前記高速湯張りモードが設定された場合、前記記憶部に記憶された前記洗浄判定結果が洗浄実行済みであるとき、前記報知装置に警告の報知を行わせた後に前記給湯ユニットに前記高速湯張りモードを実行させ、前記記憶部に記憶された前記洗浄判定結果が前記洗浄実行済みでないとき、前記報知装置に前記警告の報知を行わせることなく前記給湯ユニットに前記通常湯張りモードを実行させることを特徴とする給湯装置。
【請求項２】
浴槽に湯を供給する給湯ユニットと、前記浴槽内の浴槽水の水位を検出する水位センサと、通常湯張りモードおよび高速湯張りモードをそれぞれ設定可能な設定部材と、前記設定部材を操作する操作者に報知を行う報知装置と、前記給湯ユニットおよび前記報知装置を制御する制御装置とを備える給湯装置において、
前記浴槽に残っている前記浴槽水を検出する残水センサを備え、
前記制御装置は、前記残水センサにより前記浴槽水が検出されない残水未検出状態にあるか否かを判定する残水判定手段と、前記残水判定手段の残水判定結果を記憶する記憶部とを備え、前記設定部材により前記高速湯張りモードが設定された場合、前記記憶部に記憶された前記残水判定結果が前記残水未検出状態であるとき、前記報知装置に警告の報知を行わせた後に前記給湯ユニットに前記高速湯張りモードを実行させ、前記記憶部に記憶された前記残水判定結果が前記残水未検出状態でないとき、前記報知装置に前記警告の報知を行わせることなく前記給湯ユニットに前記通常湯張りモードを実行させることを特徴とする給湯装置。
【請求項３】
請求項２記載の給湯装置において、
前記設定部材により前記給湯ユニットの湯路の洗浄を行う洗浄モードが設定可能であり、
前記制御装置は、前記設定部材により前記洗浄モードが設定され、かつ前記記憶部に記憶された前記残水判定結果が前記残水未検出状態であるとき、前記給湯ユニットに前記湯路の洗浄を実行させることを特徴とする給湯装置。
【請求項４】
請求項１から３のいずれか１項記載の給湯装置において、
前記報知装置は、音声ガイドを行う音声発生装置であることを特徴とする給湯装置。
【発明の詳細な説明】
【技術分野】
【０００１】
本発明は、湯が浴槽に供給される際に、通常湯張りモードおよび高速湯張りモードをそれぞれ設定可能な給湯装置に関する。
【背景技術】
【０００２】
給湯装置において、浴槽に湯を供給する給湯ユニットと、浴槽での水位を検出する水位センサと、通常湯張りモードおよび該通常湯張りモードよりも短時間で湯張りが終了する高速湯張りモードをそれぞれ設定可能な設定部材と、給湯ユニットを制御する制御装置とを備えるものは知られている（例えば、特許文献１参照）。
また、給湯ユニットの湯路（例えば、追焚き用の循環湯路）の洗浄を行う洗浄モードが設定可能な給湯装置も知られている（例えば、特許文献２参照）。
【先行技術文献】
【特許文献】
【０００３】
【特許文献１】特開平１１−２９４８４７号公報
【特許文献２】特開平２００７−１０１０６７号公報
【発明の概要】
【発明が解決しようとする課題】
【０００４】
給湯装置において、高速湯張りモードで湯張りが開始される際に、浴槽に残っている水（以下、「残水」という。そして、この残水には「残湯」も含まれる。）の量（以下、「残水量」という。）が、水位センサにより検出可能な基準水位以上であるときには、該水位センサで検出された水位に基づいて制御装置により算出された必要注湯量で、設定部材を操作する操作者により設定された設定水位まで注湯される一方、前記基準水位未満の残水が有るときには、水位センサにより水位を検出することができず、したがって前記必要注湯量を算出することができないので、注湯量が過剰になり、浴槽水が設定水位を超えることがある。
また、洗浄モードが設定可能な給湯装置において、湯張り終了後、浴槽水の水位が特定の水位より低くなったときに洗浄が実行されるものがある。そして、このような給湯装置で洗浄モードが実行された場合に、水位センサにより水位を検出することができない前記基準水位未満の残水が有るときは、高速湯張りモードでの湯張り時に、やはり注湯量が過剰になって浴槽水が設定水位を超えることがある。
【０００５】
そこで、操作者により高速湯張りモードが設定された場合、高速湯張りモードの開始時の残水量が前記基準水位未満のときには、操作者に対して、前記基準水位未満の残水が存在する可能性があるために、設定水位での湯張りができないことがある旨の警告を報知することが望ましい。
しかしながら、前記基準水位に対する残水の水位に関わりなく、高速湯張りモードが設定される度に前記警告を報知するのでは、操作者に不快感や煩わしい感じを与えることにもなりかねない。また、高速湯張りモードが設定された後に、残水量の検出を開始するのでは、残水量の判定結果を操作者に報知するまでに時間を要し、その間に操作者が設定部材から離れてしまって、報知を聞き逃すことがある。
また、水位センサによる水位検出が可能になるまで所定湯量の注湯を行った後に、検出された水位に基づいて必要注湯量を算出する中間チェックを行い、前記必要湯量の湯を注湯することで、設定水位での湯張りが確保されるものの、該中間チェックを行わない場合に比べて時間がかかり、高速湯張りモードでの湯張りの迅速性が損なわれる。
【０００６】
本発明は、このような事情に鑑みてなされたものであり、給湯装置において、湯張り時間を短縮する高速湯張りモードの利便性を高めることを目的とする。
【課題を解決するための手段】
【０００７】
請求項１記載の発明は、浴槽に湯を供給する給湯ユニットと、前記浴槽内の浴槽水の水位を検出する水位センサと、通常湯張りモードおよび高速湯張りモードをそれぞれ設定可能な設定部材と、前記設定部材を操作する操作者に報知を行う報知装置と、前記給湯ユニットおよび前記報知装置を制御する制御装置とを備える給湯装置において、前記水位センサにより検出された水位が基準水位未満のときに前記給湯ユニットの湯路の洗浄を行う洗浄モードが、前記設定部材により設定可能であり、前記制御装置は、前記洗浄モードに基づく前記湯路の洗浄が実行済みか否かを判定する洗浄実行判定手段と、前記洗浄実行判定手段の洗浄判定結果を記憶する記憶部とを備え、前記設定部材により前記高速湯張りモードが設定された場合、前記記憶部に記憶された前記残水判定結果が洗浄実行済みであるとき、前記報知装置に警告の報知を行わせた後に前記給湯ユニットに前記高速湯張りモードを実行させ、前記記憶部に記憶された前記洗浄判定結果が前記洗浄実行済みでないとき、前記報知装置に前記警告の報知を行わせることなく前記給湯ユニットに前記通常湯張りモードを実行させる給湯装置である。
【０００８】
これによれば、洗浄モードによる湯路の自動洗浄が実行された場合、洗浄実行判定手段による洗浄判定結果が洗浄実行済みであるため、浴槽には基準水位未満の残水が存在する可能性がある。このため、設定部材により高速湯張りモードが設定された場合において、制御装置は、設定部材の操作者に対して、報知装置により、例えば、残水が有ると浴槽水が浴槽から溢れる場合があることを意味する警告の報知を行う。この際、制御装置は予め記憶部に記憶された洗浄判定結果に基づいて報知を行うので、該報知は、高速湯張りモードの設定後に直ちに行われることから、操作者が該報知を聞き逃したり、または見逃したりことがなく、高速湯張りモード設定時の残水量の不確実性に起因する浴槽水の溢流の可能性を低減でき、しかも高速湯張りモードが設定された後に残水を検出するための時間を必要としないので、高速湯張りモードによる湯張り時間の短縮化が損なわれることがない。
また、洗浄判定結果が洗浄実行済みでないとき（すなわち、基準水位以上の残水が有るとき）には、報知装置による前記警告の報知が行われることなく、通常湯張りモードでの湯張りが行われることから、洗浄判定結果が洗浄実行済みであるときにのみ、前記警告の報知が行われるので、操作者に不快感や煩わしい感じを与えることが少なくなる。
これらの結果、洗浄モードでの洗浄実行の有無を利用することにより、洗浄湯張り時間を短縮する高速湯張りモードの利便性を高めることができる。
【０００９】
請求項２記載の発明は、浴槽に湯を供給する給湯ユニットと、前記浴槽内の浴槽水の水位を検出する水位センサと、通常湯張りモードおよび高速湯張りモードをそれぞれ設定可能な設定部材と、前記設定部材を操作する操作者に報知を行う報知装置と、前記給湯ユニットおよび前記報知装置を制御する制御装置とを備える給湯装置において、前記浴槽に残っている前記浴槽水を検出する残水センサを備え、前記制御装置は、前記残水センサにより前記浴槽水が検出されない残水未検出状態にあるか否かを判定する残水判定手段と、前記残水判定手段の残水判定結果を記憶する記憶部とを備え、前記設定部材により前記高速湯張りモードが設定された場合、前記記憶部に記憶された前記残水判定結果が前記残水未検出状態であるとき、前記報知装置に警告の報知を行わせた後に前記給湯ユニットに前記高速湯張りモードを実行させ、前記記憶部に記憶された前記残水判定結果が前記残水未検出状態でないとき、前記報知装置に前記警告の報知を行わせることなく前記給湯ユニットに前記通常湯張りモードを実行させる給湯装置である。
【００１０】
これによれば、残水判定手段による残水判定結果が残水未検出であるため、浴槽には残水センサにより検出できない残水が存在する可能性がある。このため、設定部材により高速湯張りモードが設定された場合において、制御装置は、設定部材の操作者に対して、報知装置により、例えば、残水が有ると浴槽水が浴槽から溢れる場合があることを意味する警告の報知を行う。この際、制御装置は予め記憶部に記憶された残水判定手段の残水判定結果に基づいて報知を行うので、該報知は、高速湯張りモードの設定後に直ちに行われることから、操作者が該報知を聞き逃したり、または見逃したりすることがなく、高速湯張りモード設定時の残水量の不確実性に起因する浴槽水の溢流の可能性を低減でき、しかも高速湯張りモードが設定された後に残水センサにより残水の検出をする時間を必要としないので、高速湯張りモードによる湯張り時間の短縮が損なわれることがない。
また、残水判定結果が残水未検出状態でないとき（すなわち、残水センサで検出される残水が有るとき）には、報知装置による報知が行われることなく、高速湯張りモードでの湯張りが行われることから、残水判定結果が残水未検出状態であるときにのみ、警告の報知が行われるので、操作者に不快感や煩わしい感じを与えることが少なくなる。
これらの結果、湯張り時間を短縮する高速湯張りモードの利便性を高めることができる。
【００１１】
請求項３記載の発明は、請求項１記載の給湯装置において、前記設定部材により前記給湯ユニットの湯路の洗浄を行う洗浄モードが設定可能であり、前記制御装置は、前記設定部材により前記洗浄モードが設定され、かつ前記記憶部に記憶された前記残水判定結果が前記残水未検出状態であるとき、前記給湯ユニットに前記湯路の洗浄を実行させるものである。
これによれば、残水判定手段の残水判定結果を、報知装置による警告の報知の実行条件および洗浄モードによる湯路の自動洗浄の開始条件として共用できるので、残水判定手段を備える給湯装置に洗浄モードを簡単に組み込むことができる。
【００１２】
請求項４記載の発明は、請求項１から３のいずれか１項記載の給湯装置において、前記報知装置は、音声ガイドを行う音声発生装置であるものである。
これによれば、警告の報知が音声でなされるので、報知の内容を操作者に確実に伝達できる。
【発明の効果】
【００１３】
本発明によれば、給湯装置において、湯張り時間を短縮する高速湯張りモードの利便性を高めることができる。
【図面の簡単な説明】
【００１４】
【図１】本発明の実施形態に係る給湯装置を模式的に示す図である。
【図２】図１の給湯装置の要部のブロック図である。
【図３】図１の給湯装置の制御装置による残水判定の手順を説明する図である。
【図４】（ａ）は、図１の給湯装置による通常湯張りモードおよび高速湯張りモードでの湯張りの手順を説明する図であり、（ｂ）は、（ａ）の変形例の一部を説明する図である。
【発明を実施するための形態】
【００１５】
以下、本発明の実施形態を図１〜図４を参照して説明する。
図１を参照すると、本実施形態に係る給湯装置Ｈは、浴槽１および給湯先２（例えば蛇口）に湯を供給する給湯ユニット１０と、給湯ユニット１０の機能を設定する設定部材Ｃと、給湯ユニット１０および浴槽１の状態を検出する状態検出手段６０（図２参照）と、設定部材Ｃを操作する操作者に報知を行う報知装置５９と、設定部材Ｃからの設定信号および状態検出手段６０からの検出信号に基づいて給湯ユニット１０および報知装置５９を制御する制御装置７０とを備える。
給湯ユニット１０は、水が加熱されて湯が生成される湯源としての貯湯タンク１１と、貯湯タンク１１の湯（または水）を加熱する給湯用加熱源としてのヒートポンプ装置１２と、貯湯タンク１１に水を供給する給水部１０ａと、貯湯タンク１１の湯を浴槽１および給湯先２に供給する給湯部１０ｂと、浴槽１に供給された湯または水（以下、「浴槽水」という。）を加熱する追焚き部１０ｃとを備える。
なお、給湯ユニット１０により浴槽１に湯または水を供給することを、注湯ということがある。
【００１６】
給水部１０ａは、給水源３（例えば上水道）からの水を貯湯タンク１１および給湯部１０ｂに導く給水管１３と、逆止弁１４および減圧弁１５とを備える。給水管１３は、逆止弁１４および減圧弁１５が上流側から順次設けられた上流給水管１３ａと、減圧弁１５の下流で上流給水管１３ａから分岐した第１，第２下流給水管１３ｂ，１３ｃとを有する。第１下流給水管１３ｂは貯湯タンク１１の下部に接続され、第２下流給水管１３ｃは、逆止弁１６，１７をそれぞれ介して給湯部１０ｂの第１混合栓としての浴槽用混合栓２０および第２混合栓としての給湯用混合栓２１に接続される。
【００１７】
ヒートポンプ装置１２は、外気の熱を気化熱として吸収した冷媒が凝縮する際の凝縮熱により貯湯タンク１１の下部から導かれる低温の湯を加熱するヒートポンプ１２ａと、貯湯タンク１１の湯をヒートポンプ１２ａに導く導入管１２ｂと、ヒートポンプ１２ａで加熱された水を貯湯タンク１１の頂部に導く導出管１２ｃとを備える。このため、貯湯タンク１１内の湯は、全体的に上部ほど温度が高くなる。
【００１８】
貯湯タンク１１には、貯湯タンク１１の湯の温度を検出する複数の温度センサ６１ａ〜６１ｆが上下方向に間隔を置いて設けられる。制御装置７０がこれら温度センサ６１ａ〜６１ｆにより検出された温度に基づいてヒートポンプ１２ａの作動を制御することにより、ヒートポンプ１２ａが水の加熱量を制御して、貯湯タンク１１の湯の温度を制御する。
導入管１２ｂと導出管１２ｃとは、凍結防止用の三方弁４により連通・遮断可能である。導入管１２ｂには、三方弁４の上流で、貯湯タンク１１の水の排出を可能とする手動式の排水弁６が設けられた排水管５が接続される。
【００１９】
給湯部１０ｂは、給水部１０ａの水と貯湯タンク１１の湯との混合割合を変更することにより浴槽１および給湯先２にそれぞれ供給される湯の温度を調節可能な湯温調節部材としての浴槽用混合栓２０および給湯用混合栓２１と、貯湯タンク１１および各混合栓２０，２１に接続されて貯湯タンク１１の頂部に存在する高温の湯を取り出す出湯管２２と、浴槽用混合栓２０および給湯用混合栓２１からの湯または水を浴槽１および給湯先２にそれぞれ導く第１，第２給湯管３１，３２を有する給湯管３０と、該給湯管３０に設けられる電磁弁２３、流量調節弁２４、逆止弁２５，２６およびポンプ４０とを備える。各混合栓２０，２１には、逆止弁１６，１７を通った給水管１３の水と、逆止弁１８，１９を通った出湯管２２の湯とが導かれる。
各混合栓２０，２１における水と湯との混合割合は、制御装置７０が各混合栓２０，２１を制御することにより制御される。
【００２０】
図１を参照すると、浴槽用混合栓２０および浴槽１のアダプタ１ａに接続される第１給湯管３１は、上流給湯管３３と、浴槽１に供給される湯の流通を許容する逆止弁２６の下流の分岐部３７で上流給湯管３３から分岐していずれもアダプタ１ａと接続される第１，第２下流給湯管３４，３５とを有する。上流給湯管３３には、浴槽１への湯の供給を制御する制御部材としての電磁弁２３と、逆止弁２５を通った湯の注湯流量を検出する流量センサ６５と、逆止弁２６とが、上流側から順次設けられる。
【００２１】
第１下流給湯管３４には、浴槽１での浴槽水の水位を検出する水位センサ６７と、第１給湯管３１内を流れて浴槽１に供給される湯の温度を検出する温度センサ６２とが、上流側から順次設けられる。温度センサ６２は、浴槽１内の浴槽水の温度に対応する温度を検出することから、浴槽湯温センサでもある。
水位センサ６７よりも上流で分岐する第２下流給湯管３５には、浴槽１に湯または水を圧送するポンプ４０と、第２下流給湯管３５に水が流れていることを検出する水流センサ６８と、流量調節弁２４とが、上流側から順次設けられる。アダプタ１ａにおいて、第１下流給湯管３４の端部開口３４ｅは、第２下流給湯管３５の端部開口３５ｅが浴槽１内に開口する位置よりも下方の位置で浴槽１内に開口する。水流センサ６８は、ポンプ４０の作動・非作動を検出可能である。
一方、第２給湯管３２には、給湯先２に供給される湯の流量を検出する流量センサ６６と、第２給湯管３２内を流れる湯の温度を検出する温度センサ６３とが、上流側から順次設けられる。
【００２２】
追焚き部１０ｃは、ポンプ４０と、アダプタ１ａおよびポンプ４０に接続される吸込管４１と、ポンプ４０およびアダプタ１ａに接続される吐出管４２と、吐出管４２に設けられた追焚き用の熱交換器４３とを備える。吸込管４１、吐出管４２および熱交換器４３は、浴槽１から流出した浴槽水を浴槽１に戻すように浴槽水を循環させる循環湯路を形成する。
そして、給水管１３は給湯ユニット１０における給水路を形成し、出湯管２２により形成される出湯路と、第１，第２給湯管３１，３２によりそれぞれ形成される第１，第２給湯路とが、給湯ユニット１０における湯路を構成する。
【００２３】
吸込管４１は、第１下流給湯管３４と、第２下流給湯管３５における分岐部３７からポンプ４０までの部分である上流管３５ａとにより構成される。吐出管４２は、第２下流給湯管３５におけるポンプ４０から流量調節弁２４までの部分である中流管３５ｂと、熱交換器４３が設けられると共に流量調節弁２４から第２下流側給湯管３５との接続部３８までの接続管４４と、第２下流給湯管３５における流量調節弁２４からアダプタ１ａまでの部分である下流管３５ｃとにより構成される。
接続管４４は、流量調節弁２４および熱交換器４３に接続されて水を熱交換器４３に導く上流接続管４５と、熱交換器４３および第２下流給湯管３５に接続されて熱交換器４３において加熱された浴槽水を浴槽１に導く下流接続管４６とを有する。下流接続管４６には、熱交換後の槽水の温度を検出する温度センサ６４が設けられる。
【００２４】
熱交換器４３は、貯湯タンク１１の上部に設けられて貯湯タンク１１の湯に浸漬されている。それゆえ、貯湯タンク１１は、浴槽水を加熱する追焚き用加熱源である。
流量調節弁２４は、下流管３５ｃおよび上流接続管４５に対する中流管３５ｂの接続の切換を含めて、中流管３５ｂを流れた湯または水の、下流管３５ｃまたは上流接続管４５への流量を制御する。
【００２５】
図２を中心に、併せて図１を参照すると、設定部材Ｃは、浴室内に設けられる第１設定部としての浴室リモコンＣ１と、浴室とは別の場所、例えば台所に設けられる第２設定部としての台所リモコンＣ２とから構成される。各リモコンＣ１，Ｃ２は、操作者が操作することにより給湯ユニット１０の機能を設定する操作部Ｃａと、表示部Ｃｂとを備える。
操作部Ｃａは、給湯装置Ｈの運転および停止を行う運転・停止スイッチ５０と、浴槽１の湯量（または、水位）を設定する湯量設定部（または、水位設定部）５１と、浴槽１の浴槽水の温度および第２給湯管３２での湯の温度をそれぞれ別個に設定する湯温設定部５２と、給湯ユニット１０の作動モードを択一的に選択して設定する作動モードスイッチとを有する。前記作動モードスイッチには、通常湯張りモードを設定する通常湯張りモードスイッチ５３、通常湯張りモードよりも短時間での湯張りが可能な高速湯張りモードを設定する高速湯張りモードスイッチ５４、追焚きモードを設定する追焚きモードスイッチ５５、差し湯モードを設定する差し湯モードスイッチ５６、差し水モードを設定する差し水モードスイッチ５７および洗浄モードを設定する洗浄モードスイッチ５８が含まれる。
【００２６】
ここで、前記作動モードは、浴槽１に湯または水を供給するモードである浴槽水供給モードと、浴槽１に浴槽水が存在することを前提とする作動モードである浴槽水存在モードとに分けることができる。前記浴槽水供給モードには、通常湯張りモード、高速湯張りモード、差し湯モードおよび差し水モードが含まれ、前記浴槽水存在モードには、追焚きモードが含まれる。
【００２７】
表示部Ｃｂには、操作者が操作部Ｃａを通じて設定した各種の設定内容が表示され、該設定内容は設定信号として制御装置７０に入力される。
報知装置５９は、この実施形態では音声発生装置であり、各リモコンＣ１，Ｃ２の一部として各リモコンＣ１，Ｃ２に一体化されて設けられる。
【００２８】
状態検出手段６０は、各温度センサ６１ａ〜６１ｆ，６２〜６４、流量センサ６５，６６、水位センサ６７および水流センサ６８から構成され、各センサ６１ａ〜６１ｆ，６２〜６８による検出信号は、制御装置７０に入力される。
水位センサ６７は、第１下流給湯管３４を通じて、第１下流給湯管３４の水の圧力を検出することにより、浴槽１の浴槽水の水位を検出する。この水位センサ６７は、浴槽水の水位が第１下流給湯管３４の端部開口３４ｅ以上である（または、端部開口３４ｅ全体が浴槽水の液面下にある）場合には、水位を検出可能であるが、水位が端部開口３４ｅよりも下方にある（または、端部開口３４ｅの少なくとも一部が浴槽水の液面上にある）場合には、水位を検出することはできない。
そこで、水位センサ６７が浴槽水の水位を検出可能な水位の下限を基準水位とする。この基準水位は、例えば、浴槽水がない（すなわち、浴槽１に残水がない）状態から、浴槽１に徐々に注水することにより水位を増加させる過程で、水位センサ６７が最初に検出したときの水位である。
【００２９】
それゆえ、水位センサ６７は、浴槽１に残っている浴槽水を検出する残水センサである。そして、水位センサ６７が浴槽水を検出したとき（すなわち、残水検出のとき）には、浴槽１に残水としての浴槽水が基準水位以上の残水量で存在し、一方、水位センサ６７が水位を検出しないときには、すなわち残水を検出できない残水未検出状態のときには、浴槽１に基準水位未満の残水が有る、および、浴槽１の残水がない、のいずれかである。
【００３０】
制御装置７０は、入出力インターフェース、中央演算処理装置、各種の制御プログラムおよび各種のマップなどが記憶された記憶部７８を備えるコンピュータから構成され、給湯ユニット１０および浴槽１での水または湯の状態と、操作者による各リモコンＣ１，Ｃ２での操作により設定された設定内容に基づいて、ヒートポンプ１２ａ、各混合栓２０，２１、電磁弁２３、流量調節弁２４およびポンプ４０の動作を制御して、給湯ユニット１０に該設定内容を実行させる。
【００３１】
そのため、制御装置７０は、ヒートポンプ１２ａを制御するヒートポンプ制御手段７１と、給湯ユニット１０により供給される湯の流量（以下、「給湯流量」という。）としての前記注湯流量を制御すべく電磁弁２３を制御する給湯流量制御手段７２と、浴槽１および給湯先２に供給される湯の温度を制御すべく各混合栓２０，２１を制御する給湯温度制御手段７３と、追焚きモードでの浴槽水の循環を実行すべくポンプ４０および流量調節弁２４を制御する追焚き制御手段７４と、洗浄モードでの自動洗浄を実行すべく各混合栓２０，２１、ポンプ４０および流量調節弁２４を制御する洗浄制御手段７５と、残水判定手段７６と、洗浄実行判定手段７７と、を備える。
残水判定手段７６は、高速湯張りモードが設定される以前（すなわち、高速湯張りモードが設定される直前での湯張りモードなどの判定用作動モードの実行による浴槽水が検出された後）に、基準水位未満の状態（すなわち浴槽水が検出されない残水未検出状態）にあるか否かを判定する。洗浄実行判定手段７７は、設定部材Ｃにより洗浄モードが設定されたとき、洗浄モードに基づく追焚き用湯路である前記循環湯路の洗浄が実行されたか否かを判定する。
【００３２】
制御装置７０の前記マップには、浴槽１の浴槽水の水位と浴槽水の量（または、浴槽１の湯量）との関係を定める基準湯量データが記憶された基準湯量マップ７８ａが含まれる。この基準湯量マップ７８ａにより、制御装置７０は、水位センサ６７により検出された水位に基づいて、湯量設定部５１により予め設定された設定湯量（すなわち、設定水位でもある。）までの必要注湯量を算出する。なお、基準湯量マップ７８ａは、給湯装置Ｈの設置時または初回の使用時に、浴槽１の形状に基づいて作成される。別の例として、前記基準湯量データは、関数やテーブルとして記憶部７８に記憶されてもよい。
【００３３】
残水判定手段７６の残水判定結果および洗浄実行判定手段７７の洗浄判定結果は、記憶部７８の不揮発性メモリに記憶されると共に、常に最新の状態が記憶されるように書き換えられる。
なお、給湯装置Ｈの設置時または前記基準湯量データの設定時に、残水判定結果の初期内容としての残水未検出状態、および洗浄判定結果の初期内容としての洗浄実行済みが、記憶部７８に記憶される。
【００３４】
図３を中心に、図１，図２を参照しながら、残水判定手段７６を構成する残水判定の手順について説明する。
この残水判定は、給湯ユニット１０の前記作動モードのうちで、前記浴槽水供給モードまたは前記浴槽水存在モードである判定用作動モードが設定部材Ｃにより設定されたとき、常に開始される。
先ず、ステップＳ１で、給湯ユニット１０が前記判定用作動モードで作動中かが判定され、給湯ユニット１０が該判定用作動モードで作動中であるとき、判定用作動モードでの作動が終了するまでステップＳ１の判定が繰り返される。判定用作動モードでの作動が終了したとき、ステップＳ２に進む。ステップＳ２では、判定用作動モードが正常に終了したかが判定され、正常に終了したときは、ステップＳ３に進み、異常終了したときは、ステップＳ９に進んで設定部Ｃの表示部Ｃｂに異常終了したことの表示をした後、残水判定を終了する。異常終了したときには、前回の判定用作動モードでの正常終了時の残水判定結果が記憶部７８に記憶されたままになる。また、異常終了の例として、浴槽１の排水栓１ｂ（図１参照）が閉められていないために、浴槽水が貯まらない場合がある。
【００３５】
ここで、通常の使用態様では、判定用作動モードのうち、特に湯張りモード（すなわち、通常湯張りモードまたは高速湯張りモード）および追焚きモードが正常に終了したときは、水位センサ６７により基準水位以上の水位が検出されることから、湯張りモードおよび追焚きモードが正常に終了したことを、水位センサ６７により検出された水位が基準水位以上となったと見なすことができる。
【００３６】
ステップＳ３では、水位が安定する時間として予め設定された水位安定待ち時間が経過したかが判定され、水位安定待ち時間（例えば、３０秒）が経過したときには、ステップＳ４に進み、水位センサ６７により検出される現在の水位が基準水位未満か否かが判定され、水位が基準水位以上であるとき、ステップＳ５に進む。ステップＳ５では、記憶部７８に、残水判定結果が残水検出であることが記憶される。したがって、この段階では、残水判定結果が残水未検出状態であることは記憶されないことになる。
【００３７】
例えば、排水栓１ｂが開放されて、浴槽水の水位が低下して、ステップＳ４で水位が基準水位未満であるとき、ステップＳ６に進んで、入浴者が浴槽１から出ることなどに起因して水位が一時的に基準水位未満になったことによる誤検出を排除するために、予め設定された水位監視時間（例えば、１０秒）が経過したかが判定される。水位監視時間内では、ステップＳ４での判定が繰り返されることから、水位が基準水位未満であることが、複数回、検出される。
【００３８】
水位監視時間が経過した後、ステップＳ７に進んで、給湯ユニット１０の湯路内、特に循環湯路内に残っている湯が排出されるのに要する所定の排出待ち時間（例えば、２分）が経過したかが判定される。そして、排出待ち時間が経過した後、ステップＳ８に進んで、記憶部７８で、ステップＳ５での残水検出が、残水未検出状態に書き換えられる。
排水待ち時間の間に、浴槽水の排水が行われて浴槽水の水位がさらに低下するので、浴槽水が追焚き部１０ｃに流入することによる洗浄効果の低下が防止される。
【００３９】
なお、水位安定待ち時間、水位監視時間、排水待ち時間は、それぞれ浴槽１の形状などに応じて適宜設定される。
また、ステップＳ２で判定用作動モードが正常に終了したと判定されたとき、洗浄実行判定手段７７は、洗浄判定結果が未洗浄であるとして記憶部７８に記憶する。これにより、設定された判定用作動モードでの作動が正常に終了した後に洗浄モードによる洗浄が実行されない場合、洗浄実行済みでない（すなわち、洗浄実行なし）という洗浄判定結果が記憶部７８に記憶されることになる。
【００４０】
以下、図４（ａ）を中心に、図１，図２を参照しながら、給湯装置Ｈの機能を、制御装置７０により実行される処理の内容に中心に説明する。
＜通常湯張り＞
リモコンＣ１またはリモコンＣ２（以下、説明の便宜上、設定部材Ｃを構成するリモコンＣ１，Ｃ２のいずれかを単に「設定部材Ｃ」という。）により、通常湯張りモードが設定された場合、ステップＳ１１で通常湯張りモードであると判定されて、ステップＳ１２に進み、記憶部７８から残水判定手段７６による残水判定結果（図３参照）が読み込まれ、残水判定結果が残水未検出である（すなわち、残水の水位が基準水位未満である）とき、ステップＳ１３に進み、残水判定結果が残水未検出でない（すなわち、残水検出であり、残水の水位が検出基準水位以上である）とき、ステップＳ１７に進む。
ステップＳ１３では、設定部材Ｃにより設定された設定湯温および水位検出用初期所定注湯量が読み込まれ、ステップＳ１４において、浴槽用混合栓２０および電磁弁２３が制御されることにより、上流給湯管３３および第１，第２下流給湯管３４，３５を通じて浴槽１に供給される。このとき、ポンプ４０は、作動してもよいし、作動することなく空回りしてもよい。
ここで、水位検出用初期所定注湯量および後記水位検出用追加注湯量は、水位センサ６７による水位の検出を可能とするために、予め決められた湯量であり、記憶部７８に記憶されている。
【００４１】
浴槽１への水位検出用初期所定注湯量の湯の供給が終了すると、ステップＳ１５に進んで、水位センサ６７により浴槽１の浴槽水の水位が検出されて、基準水位以上の水位であるかが判定され、基準水位未満であるとき、ステップＳ１６で水位検出用追加注湯量が読み込まれて、ステップＳ１４において前記設定湯温で該水位検出用追加注湯量の湯が浴槽１に供給され、ステップＳ１４〜Ｓ１６の処理が、水位センサ６７により基準水位以上の水位が検出されるまで実行される。
【００４２】
ステップＳ１５で基準水位以上の水位が検出されると、ステップＳ１７に進む。
ステップＳ１７では、温度センサ６２により浴槽水の温度および水位センサ６７により浴槽水の水位がそれぞれ検出され、次いでステップＳ１８に進んで、温度センサ６２により検出された温度および前記設定湯温に基づいて注湯されるときの注湯湯温が算出され、さらに水位センサ６７により検出された水位に基づいて基準湯量マップ７８ａが参照されて設定湯量（または設定水位）となるまでの必要注湯量が算出された後、ステップＳ１９に進んで、それら算出結果に応じて混合栓２０および電磁弁２３が制御され、ステップＳ１８で決定された必要注湯量および注湯湯温の湯が、上流給湯管３３および第１，第２下流給湯管３４，３５を通じて供給される。
ここで、ステップＳ１３〜Ｓ１８までの必要注湯量・注湯湯温の算出処理は、制御装置７０が実行する中間チェックを構成し、制御装置７０は、この中間チェックの実行後に、給湯ユニット１０に、浴槽１への必要注湯量および注湯湯温の湯の注湯を実行させる。
そして、注湯が終了すると（即ち、流量センサ６５を用いて浴槽１に供給された湯の量をカウントし、予め設定された湯量に達すると）、電磁弁２３が閉弁し、その後ステップＳ２０に進んで、温度センサ６２により検出された浴槽水の温度が設定湯温であるかが判定され、設定湯温でないときには、ステップＳ２１に進んで追焚きまたは差し水が行われる。そして、ステップＳ２０で温度センサ６２により検出された温度が設定湯温になったとき、湯張りが終了する。
【００４３】
＜高速湯張り＞
設定部材Ｃにより、高速湯張りモードが設定された場合、ステップＳ１１で高速湯張りモードであると判定されて、ステップＳ２２に進み、記憶部７８から残水判定手段７６による残水判定結果（図３参照）が読み込まれ、残水判定結果が基準水位未満である（すなわち、残水未検出である）とき、ステップＳ２３に進む。ステップＳ２３では、報知装置５９により操作者に、浴槽１に基準水位未満の残水が存在する可能性があるため、設定湯量（または設定水位）での湯張りができない場合がある旨の警告の報知、例えば、浴槽水が浴槽から溢れる場合があることを意味する「残水が有ると溢れる場合があります」という警告の報知が、通常湯張りモードの設定直後にアナウンスされる。
【００４４】
次いで、ステップＳ２４に進んで、設定部材Ｃにより設定された設定湯温および規定注湯量が読み込まれた後、浴槽用混合栓２０および電磁弁２３が制御されて、ステップＳ１９において、規定注湯量の湯が上流給湯管３３および第１，第２下流給湯管３４，３５を通じて一気に浴槽１に供給される。そして、電磁弁２３が閉弁して注湯が終了し、ステップＳ２０に進み、必要に応じてステップＳ２１での処理が行われた後、ステップＳ２０で温度センサ６２により検出された温度が設定湯温になったとき、湯張りが終了する。
ここで、規定注湯量は、水位センサ６７による水位を検出することなく、浴槽１に残水がない状態から設定湯量（または設定水位になる湯量）にほぼ等しい湯量として予め設定された値であり、記憶部７８に記憶されている。
このように、高速湯張りモードでは、通常湯張りモードにおける中間チェックが実行されることなく、規定注湯量の湯が一気に注湯されるので、通常湯張りモードよりも短時間で湯張りが終了する。
【００４５】
一方、ステップＳ２２において、基準水位以上の水位が検出されると、ステップＳ１７，Ｓ１８に進んで、必要注湯量・注湯湯温を決定する中間チェックが実行され、この中間チェックの実行後にステップＳ１９に進む。該ステップＳ１９において、混合栓２０および電磁弁２３が制御されて、上流給湯管３３および第１，第２下流給湯管３４，３５を通じて注湯された後、電磁弁２３が閉弁して注湯が終了し、ステップＳ２０に進み、温度センサ６２により検出された温度が設定湯温になったとき、湯張りが終了する。
このように、残水判定手段７６による残水判定結果（図３参照）が残水未検出状態でない（すなわち、浴槽１に基準水位以上の残水が有り、残水検出である）とき、報知装置５９による前記警告のアナウンスが行われることなく、通常湯張りモードが実行される。
【００４６】
＜追焚き＞
図１を参照すると、設定部材Ｃにより、追焚きモードが設定された場合、設定部材Ｃにより設定された設定湯温が読み込まれ、流量調節弁２４が第２下流給湯管３５の中流管３５ｂと上流接続管４５とを連通させると共に中流管３５ｂと下流管３５ｃとの連通を遮断または連通させ、ポンプ４０が作動する。そして、浴槽１から第１下流給湯管３４を通じて吸入された浴槽水が、中流管３５ｂおよび上流接続管４５を通じて熱交換器４３で加熱された後、下流接続管４６および第２下流給湯管３５を通じて浴槽１に戻る。このとき、温度センサ６３の温度に応じて、流量調節弁２４が中流管３５ｂと下流管３５ｃとを連通させて、熱交換器４３で加熱される前の浴槽水と、加熱後の浴槽水との混合割合を変更して、浴槽１に戻る湯の温度が調節され得るので、熱すぎる湯が浴槽１に戻ることを防止できる。
【００４７】
＜自動洗浄＞
図１を参照すると、設定部材Ｃにより洗浄モードが設定され、かつ残水判定手段７６（図２参照）の残水判定結果が残水未検出である場合（図３参照）、浴槽用混合栓２０は、出湯管２２と第１給湯管３１との連通を遮断すると共に第２下流給水管１３ｃと第１給湯管３１とを連通させ、給湯用混合栓２１は、第２下流給水管１３ｃと出湯管２２および第２給湯管３２との連通を遮断し、電磁弁２３は全開とされ、流量調節弁２４が中流管３５ｂと上流接続管４５とを連通させると共に中流管３５ｂと下流管３５ｃとの連通を遮断し、ポンプ４０が作動する。
【００４８】
このため、給水源３からの水が、洗浄水として、上流給水管１３ａ、第２下流給水管１３ｃ、上流給湯管３３、第１，第２下流給湯管３４，３５、上流接続管４５、熱交換器４３および下流接続管４６により形成される洗浄水路を流れて、それら管３３〜３５，４５，４６および熱交換器４３により形成される湯路を洗浄する自動洗浄モードが実行される。
なお、別の例として、流量調節弁２４は、中流管３５ｂと上流接続管４５とを連通させると共に、中流管３５ｂと下流管３５ｃとを連通させて、上流接続管４５に比べて小さい流量の水を下流管３５ｃに流すようにして、流量調節弁２４と接続部３８との間の下流管３５ｃの部分を洗浄してもよい。
【００４９】
洗浄モードによる自動洗浄は、流量センサ６５で検出される流量が予め設定された所定洗浄水量に達したとき、または予め設定された洗浄時間が経過したときに終了する。このとき、洗浄実行判定手段７７（図２参照）により洗浄判定結果が洗浄実行済みとされて、記憶部７８に記憶される。
そして、水位センサ６７により検出された水位が基準水位未満となる条件で洗浄モードが実行されて、洗浄実行判定手段７７による洗浄判定結果が洗浄実行済みであるときは、浴槽１に残水がないか、または基準水位未満の残水が存在することと同義である。また、設定部材Ｃにより洗浄モードが設定されず、洗浄実行判定手段７７による洗浄判定結果が洗浄実行なしであるときは、浴槽１に基準水位以上の残水が存在することと同義である。
【００５０】
次に、前述のように構成された実施形態の作用および効果について説明する。
給湯ユニット１０および報知装置５９を制御する制御装置７０と、浴槽１に残っている浴槽水を検出する残水センサとしての水位センサ６７とを備える給湯装置Ｈにおいて、制御装置７０は、通常湯張りモードにおいて、浴槽水の水位が予め設定された設定水位になるように浴槽１に供給される湯の必要注湯量を水位センサ６７により検出された水位に基づいて決定する中間チェックの実行後に、給湯ユニット１０に必要注湯量の注湯を行わせると共に、高速湯張りモードにおいて、前記中間チェックを実行することなく給湯ユニット１０に予め設定された規定注湯量の注湯を行わせ、さらに、制御装置７０は、設定部材Ｃにより高速湯張りモードが設定された場合、記憶部７８に記憶された残水判定結果が残水未検出状態である（すなわち、水位が基準水位未満である）とき、報知装置５９に前記警告の報知を行わせた後に給湯ユニット１０に高速湯張りモードを実行させ、記憶部７８に記憶された残水判定結果が残水未検出状態でないとき、報知装置５９に前記警告の報知を行わせることなく水位センサ６７により水位を検出した後に給湯ユニット１０に通常湯張りモードを実行させる。
この構造により、残水判定手段７６による残水判定結果が残水未検出であるため、浴槽１には水位センサ６７により検出できない残水が存在する可能性がある。このため、操作者が操作する設定部材Ｃにより高速湯張りモードが設定された場合において、制御装置７０は、操作者に対して、報知装置５９により、前記警告の報知をアナウンスする。この際、制御装置７０は予め記憶部７８に記憶された残水判定手段７６の残水判定結果に基づいて報知を行うので、該報知は、高速湯張りモードの設定後に直ちに行われることになるため、操作者が該報知を聞き逃すことがなく、高速湯張りモード設定時の残水量の不確実性に起因する浴槽水の溢流の可能性を低減でき、しかも高速湯張りモードが設定された後に水位センサ６７により残水の検出をする時間を必要としないので、高速湯張りモードによる湯張り時間の短縮が損なわれることがない。
また、残水判定結果が残水未検出状態でないとき（すなわち、残水検出のとき）には、報知装置５９による報知が行われることなく、高速湯張りモードでの湯張りが行われることから、残水判定結果が残水未検出状態であるときにのみ、前記警告の報知が行われるので、操作者に不快感や煩わしい感じを与えることが少なくなる。
【００５１】
このように、本実施形態によれば、給湯装置Ｈにおいて、設定部材Ｃにより高速湯張りモードが設定された場合、浴槽１に水位センサ６７では検出できない残水が存在する可能性があるときにのみ、設定部材Ｃの操作者に対して、高速湯張りモードの設定直後に前記警告の報知をすることにより、高速湯張りモード設定時の残水量の不確実性に起因する浴槽水の溢流の可能性を低減し、以て湯張り時間を短縮する高速湯張りモードの利便性を高めることができる。
【００５２】
設定部材Ｃにより給湯ユニット１０の湯路である追焚き用循環湯路の洗浄を行う洗浄モードが設定可能であり、制御装置７０は、設定部材Ｃにより洗浄モードが設定され、かつ記憶部７８に記憶された残水判定結果が残水未検出状態であるとき、給湯ユニット１０に湯路の洗浄を実行させることにより、残水判定手段７６の残水判定結果を、報知装置５９による前記警告の報知の実行条件および洗浄モードによる循環湯路の自動洗浄の開始条件として共用できるので、残水判定手段７６を備える給湯装置Ｈに洗浄モードを簡単に組み込むことができる。
また、報知装置５９は、音声ガイドを行う音声発生装置から構成されることにより、残水確認の報知が音声でなされるので、報知の内容を操作者に確実に伝達できる。
【００５３】
以下、前述した実施形態の一部の構成を変更した実施形態について、変更した構成に関して説明する。
図４（ｂ）に示されるように、設定部材Ｃ（図２参照）により高速湯張りモードが設定された場合、ステップＳ１１（図４（ａ）参照）で高速湯張りモードであると判定された後、図４（ａ）でのステップＳ２２の代わりとなるステップＳ２２ａに進んで、洗浄実行判定手段７７による洗浄判定結果が記憶部７８（図２参照）から読み込まれ、該洗浄判定結果が洗浄モードによる洗浄実行済みであるとき、ステップＳ２３でのアナウンスが行われた後、ステップＳ２４に進むようにしてもよい。そして、ステップＳ２２ａでの洗浄判定結果が洗浄実行なしであるとき、すなわち、直前の湯張りモードなどの前記判定用作動モードの実行後に、洗浄モードによる洗浄が行われなかったとき、浴槽１には基準水位以上の残水が有る（すなわち、「残水検出」である。）ことから、ステップＳ１７に進む。
このように、給湯装置Ｈにおいて、水位センサ６７により検出された水位が基準水位未満のときに給湯ユニット１０の追焚き用循環湯路の洗浄を行う洗浄モードが、設定部材Ｃにより設定可能であり、制御装置７０は、設定部材Ｃにより高速湯張りモードが設定された場合、記憶部７８に記憶された残水判定結果が洗浄実行済みであるとき、報知装置５９に前記警告の報知を行わせた後に給湯ユニット１０に高速湯張りモードを実行させ、記憶部７８に記憶された洗浄判定結果が洗浄実行済みでないとき、報知装置５９に前記警告の報知を行わせることなく給湯ユニット１０に通常湯張りモードを実行させる。
この構造により、洗浄モードによる循環湯路の自動洗浄が実行された場合、洗浄実行判定手段７７による洗浄判定結果が洗浄実行済みであるため、浴槽１には基準水位未満の残水が存在する可能性がある。このため、設定部材Ｃにより高速湯張りモードが設定された場合において、制御装置７０が、報知装置５９により前記警告の報知を行う際、制御装置７０は予め記憶部７８に記憶された洗浄判定結果に基づいて報知を行うので、該報知は、高速湯張りモードの設定後に直ちに行われることから、操作部材Ｃの操作者が該報知を聞き逃すことがなく、高速湯張りモード設定時の残水量の不確実性に起因する浴槽水の溢流の可能性を低減でき、しかも高速湯張りモードが設定された後に残水を検出するための時間を必要としないので、高速湯張りモードによる湯張り時間の短縮化が損なわれることがない。
また、洗浄判定結果が洗浄実行済みでないとき（すなわち、残水検出のとき）には、報知装置５９による前記警告の報知が行われることなく、通常湯張りモードでの湯張りが行われることから、洗浄判定結果が洗浄実行済みであるときにのみ、前記警告の報知が行われるので、操作者に不快感や煩わしい感じを与えることが少なくなる。
これらの結果、洗浄モードでの洗浄実行の有無を利用することにより、洗浄湯張り時間を短縮する高速湯張りモードの利便性を高めることができる。
【００５４】
また、図４（ａ）に示される湯張りモードでの制御手順において、ステップＳ２３での音声でのアナウンスの後に、高速湯張りモードの設定が再度されたかを判定する設定確認判定手段を構成するステップが設けられ、操作者により高速湯張りモードの設定が再度されたときにはステップＳ２４に進み、高速湯張りモードの再度の設定がなされないときには、所定の確認待ち時間（例えば、１分）が経過した後、ステップＳ２４に進むように構成されてもよい。なお、この確認待ち時間は、残水が有る場合に排水されて残水がほぼない状態になる時間として、適宜設定される。
【００５５】
水が加熱源で加熱されることで湯が生成される湯源は熱交換器であってもよい。給湯用加熱源は、ヒートポンプ装置以外の熱源、例えば電気ヒータまたはバーナであってもよく、同様に、追焚き用加熱源は、貯湯タンク１１以外の熱源、例えば電気ヒータまたはバーナであってもよい。
水位センサ６７は、浴槽１の浴槽水の水位を直接検出するものでもよい。
残水センサは、水流センサ６８により構成されてもよい。
給湯流量には、浴槽１に対する注湯流量のほかに、浴槽１以外の給湯先に対する湯の流量が含まれていてもよい。
報知装置５９による報知は、音声以外に、警告音または表示による報知であってもよく、さらに音声、警告音および表示の少なくとも２以上の組み合わせによる報知であってもよい。
【符号の説明】
【００５６】
１          浴槽
１０        給湯ユニット
２０，２１  混合栓
２３        電磁弁
２４        流量調節弁
６２〜６４  温度センサ
６５，６６  流量センサ
６７        水位センサ
７０        制御装置
７６        残水判定手段
７７        洗浄実行判定手段
Ｈ          給湯装置
Ｃ          設定部材
【図１】
2011069564.tif 000003
【図２】
2011069564.tif 000004
【図３】
2011069564.tif 000005
【図４】
2011069564.tif 000006